(57)【要約】  【課題】  丸太を法面に固定するのにアンカーを必ずしも用いることなく施工が簡単で、植物の生育を旺盛なものにできるとともに、コスト安な法面緑化方法および法面緑化構造を提供すること。  【解決手段】  法面１０上に敷設されたネット１に形成された、木材５または竹材を挿入するための開口８，９から木材５または竹材を挿入して、木材５または竹材を前記ネット１により保持させている。【選択図】  図５
2007077667.tif 000002
【特許請求の範囲】
【請求項１】
法面上に敷設されたネットに設けられた保持部に木材または竹材を保持させることを特徴とする法面緑化方法。
【請求項２】
法面上に敷設されたネットに形成された、木材または竹材を挿入するための開口から木材または竹材を挿入して、木材または竹材を前記ネットにより保持させることを特徴とする法面緑化方法。
【請求項３】
法面との接地面積を増加させる為に前記木材または竹材に平面部を形成してある請求項１または請求項２に記載の法面緑化方法。
【請求項４】
法面の起伏に密着させる為に前記木材または竹材を長さが５０ｃｍ以下の棒状としてあることを特徴とする請求項１〜請求項３のいずれかに記載の法面緑化方法。
【請求項５】
前記木材または竹材をネットに保持させた後、ネット上から植生基材を吹付ける請求項１〜請求項４のいずれかに記載の法面緑化方法。
【請求項６】
前記ネットに植生シートが重合されている請求項１〜請求項４のいずれかに記載の法面緑化方法。
【請求項７】
法面上に敷設されたネットと、そのネットの保持部に保持された木材または竹材とからなる法面緑化構造。
【請求項８】
複数の開口を有するネットと、そのネットを法面上に固定する止め具と、前記開口から挿入され前記ネットに保持された状態で法面上に設置された木材または竹材とを備えたことを特徴とする法面緑化構造。
【発明の詳細な説明】
【技術分野】
【０００１】
この発明は、法面緑化方法および法面緑化構造に関するものである。
【背景技術】
【０００２】
昨今、林業等において大量に発生する間伐材や林地残材などの有効活用が問題となっている。本出願人も例えば間伐材の小木をチップ状や木毛状のオガ屑に加工したものを草本類、牡蠣の殻、灰などに混ぜた後、これらを袋体に収容し、その袋体を法面の等高線にほぼ沿った状態で配置するものを提案している（下記特許文献１参照）。
【０００３】
また、間伐材である丸太を大量に使用することができる、丸太を法面に定着させて格子状枠を作成する工法（下記特許文献２参照）なども存在しているが、工程が複雑であり施工性に難があった。
【０００４】
また、大量の丸太を使用することができる、丸太を法面の等高線にほぼ沿った状態で配置して法面を緑化する工法が提案されている（下記特許文献３，４参照）。
【０００５】
そして、特許文献３には、法面に敷設されたネットの表面に、杉等の間伐材の丸太を収納するための細長い袋体を間隔をあけて互いに平行になるよう設け、これら袋体に丸太を収納し、種子を混入させた土壌を各袋体の間のスペースに吹付けることにより、土壌が丸太で堰き止められて降雨等によって土壌が流動、流出するのを防止するようにしたものが記載されている。
【０００６】
また、特許文献４には、法面上に配置された複数の丸太の上にネットを敷設し、敷設されたネットの上に植生基材を吹付けたり、法面上に敷設されたネットの上に複数の丸太を配置し、この上に植生基材を吹付けるようにしたものが記載されている。
【特許文献１】特開２００２−３０９５８１号公報
【特許文献２】特開２００３−２３９２９３号公報
【特許文献３】特開２００４−７６３８９号公報
【特許文献４】特開２００３−２３９２９２号公報
【発明の開示】
【発明が解決しようとする課題】
【０００７】
しかし、いずれの場合も、丸太を法面に固定するのにアンカーを用いている。すなわち、前記特許文献３の場合は、丸太を法面に対して固定杭を用いて固定するようにしており、また、前記特許文献４の場合は、丸太を法面に対して支持アンカーを用いて固定するようにしている。そのため、施工性に問題があるとともに、コスト高である。
【０００８】
この発明は、上述の事柄に留意してなされたもので、その目的は、アンカーを必ずしも用いることなく施工が簡単で、植物の生育を旺盛なものにできるとともに、コスト安な法面緑化方法および法面緑化構造を提供することである。
【課題を解決するための手段】
【０００９】
上記目的を達成するため、この発明の法面緑化方法では、法面上に敷設されたネットに設けられた保持部に木材または竹材を保持させることを特徴とする（請求項１）。
【００１０】
また、この発明では、法面上に敷設されたネットに形成された、木材または竹材を挿入するための開口から木材または竹材を挿入して、木材または竹材を前記ネットにより保持させることを特徴とする法面緑化方法を提供する（請求項２）。なお、請求項１，２の法面緑化方法には、法面上にネットを新たに敷設する場合と、法面上に既にネットが敷設されている場合の両方が含まれる。そして、請求項１，２に係る発明においては、法面との接地面積を増加させる為に前記木材または竹材に平面部を形成してあってもよい（請求項３）。
【００１１】
この発明における木材または竹材としては、棒状のもの、特に丸太が好ましく、さらに、丸太が植林業における間伐作業において発生する間伐材であるのが好ましい。
【００１２】
法面の起伏に密着させる為に前記木材または竹材を長さが５０ｃｍ以下の棒状としてあるのが好ましく（請求項４）、３〜１５ｃｍの直径および５〜３０ｃｍの長さを有する丸太とするのがより好ましい。丸太の長さを５ｃｍ以上且つ３０ｃｍ以下に設定することで法面（地表面）に凹凸があっても丸太を法面に確実に密着させることができる。そして、丸太が法面に密着することにより、降雨や凍上による法面土壌の流亡の防止ができて法面が安定するとともに、微粒土壌が丸太の法面上手側に溜まり、これにより良好な植生生育基盤を形成することができる。また、丸太を法面に密着させることができる長さであっても、直径が３．０ｃｍ未満、例えば直径が１．０ｃｍのように細い丸太では植生生育基盤を形成し難いとともに、直径が例えば２０ｃｍのように１５ｃｍよりも直径の大きなものはたとえ５〜３０ｃｍの長さを有する丸太であっても丸太を法面に密着させることが難しい。
【００１３】
また、前記木材または竹材をネットに保持させた後、ネット上から植生基材を吹付けるか（請求項５）、あるいは、前記ネットに植生シートが重合されている（請求項６）のが好ましい。前者（請求項５）の場合には、植生基材の吹付厚（量）を適宜変更できるため、施工地の条件等に応じた好適な施工が可能となる。また、後者（請求項６）の場合には、植生シートをネットに重合する状態で張設するだけで施工が完了するため、工程を短縮でき、前者の場合に必要な吹付機械が不要となる。
【００１４】
また、この発明では別の観点から、法面上に敷設されたネットと、そのネットの保持部に保持された木材または竹材とからなる法面緑化構造を提供する（請求項７）。
【００１５】
また、この発明では、複数の開口を有するネットと、そのネットを法面上に固定する止め具と、前記開口から挿入され前記ネットに保持された状態で法面上に設置された木材または竹材とを備えたことを特徴とする法面緑化構造を提供する（請求項８）。
【発明の効果】
【００１６】
請求項１の発明では、わざわざ木材または竹材をアンカーなどで固定しなくても良く、前記保持部で木材または竹材を安定させることができる。
【００１７】
また、木材または竹材は、昼間の太陽熱によって木材または竹材の温度が上昇するとともに木材または竹材は冷め難く、夜間において木材または竹材と地表面の温度差が生じて結露が起こる。そのため、木材または竹材付近は毎日水分が供給されることになる。すなわち、結露や土壌からの水分吸い上げにより植生生育条件に適した水分量を木材または竹材付近の植物に常に供給することができる。
【００１８】
請求項２の発明では、木材または竹材を挿入するための開口から挿入された木材または竹材を前記ネットにより保持することにより、わざわざアンカーなどを用いて木材または竹材を固定しなくても木材または竹材が安定する。
【００１９】
請求項７の発明では、わざわざ木材または竹材をアンカーなどで固定しなくても良く、法面上に敷設されるネットの保持部で木材または竹材を安定させることができる。
【００２０】
請求項８の発明では、ネットの複数の開口から挿入された木材または竹材は、前記ネットを止め具で固定することにより、法面上に安定的に設置できる。
【発明を実施するための最良の形態】
【００２１】
以下、この発明の実施の形態を、図を参照しながら説明する。なお、それによってこの発明は限定されるものではない。
【００２２】
図１〜図６は、二重の網状体で構成されたネットを用いるとともに、棒状の木材として丸太を用いたこの発明の第１の実施の形態を示す。
【００２３】
図１〜図６において、１は平面視長方形で二重網（二重織り）構造を有するポケット付ネットで、経糸と緯糸とを編織してなる上網状体２および下網状体３で構成されており、長辺の方向（縦方向）に適当間隔を置いて所定幅Ａの複数の保持部４を有する。上網状体２および下網状体３の素材は、ポリエチレンや生分解性プラスチック、金網など現場条件により適宜選択できる。そして、前記各保持部４は前記ネット１の短辺の方向（横方向）に沿って形成されている。すなわち、上網状体２と下網状体３を互いに重ね合わせ、この重ね合わせ部位を前記縦方向に適当間隔置きに編込むことにより、前記両網状体２，３の編み込まれない部分を、後述する棒状の木材の一例としての丸太５を保持させるための保持部４と肥料袋６を収容するための収容部７としている。前記保持部４は、上網状体２における横方向中間位置の複数箇所に必要に応じて形成された縦長の開口８と、前記ネット１の短辺の方向（横方向）における左右端位置に形成された開口９とを有する。前記ネット１は前記保持部５が法面１０の横方向、例えば法面１０の等高線に沿うように法面１０上に敷設される。前記ネット１は例えば１ｍの短辺（横辺）と２０ｍの長辺（縦辺）とを有する。また、前記収容部７は縦方向に適当間隔を置いて保持部５と平行に、かつ、保持部５と交互に配置されている。７ａは肥料袋６を収容するための開口で、前記ネット１の前記横方向における左右端位置に形成されている。
【００２４】
前記丸太５は、林業等において大量に発生する間伐材であって、例えば３〜１５ｃｍの直径Ｂおよび５〜３０ｃｍの長さＣを有する。この実施の形態では、直径Ｂが８ｃｍで、長さＣが２５ｃｍの図４（Ａ）に示す丸太５を用いている。そして、この実施の形態では、前記ネット１の下網状体３の下面に植生シート１１を重合してなる植生マット１２を法面１０上に敷設し、前記ネット１に設けた前記保持部４の前記開口８，９から丸太５を挿入して、丸太５を前記ネット１により保持させている。さらに、この実施の形態では、法面１０の例えば最上段に位置する保持部４に４本の丸太５を前記等高線に沿うように、かつ、隣接する丸太５，５間においてできるだけ隙間ができないように互いに当接した状態で横一文字状に配置される。そして、当接した横一文字状の丸太５をそれぞれ、法面１０の上下方向に適当間隔置きに配置されている各保持部４に配置する。この実施の形態では、前記上下方向において隣接する保持部４，４に保持される丸太５，５同士の間隔Ｄを５０ｃｍに設定している。用いる丸太５は皮付き、皮取りいずれでもよく、皮付きの丸太５は４−５年で腐食し、皮取りの丸太５は７−８年で腐食するが、目的に応じて適宜選択可能である。
【００２５】
なお、前記植生シート１１の表面１１ａの全体に例えば植生種子、肥料、保水材、土壌改良材、木毛等の植生基材１２ａを接着してある。また、前記植生シート１１を、種子、肥料、土壌改良材、植物生育促進剤等の植生基材１２ａのうち一種以上を経時的に脆弱化して通芽を許容する被覆材の複数で挟持して構成してもよい。
【００２６】
１３は複数の保持部４を有する前記ネット１に植生シート１１を重合してなる植生マット１２を法面１０上に固定するワッシャ１４付きの止め具である。
【００２７】
而して、図２（Ａ）に示すように、植生マット１２を法面１０上に敷設し、図２（Ｂ）に示すように、前記ネット１に設けた前記保持部４の前記開口８，９から丸太５を挿入し、また、収容部７に肥料袋６を挿入した後、図３に示すように、前記ネット１の上方から植生シート１１を介して止め具１３を法面１０内に打ち込み、植生マット１２を止め具１３で固定する。これにより、前記丸太５は従来のようにアンカーを用いて固定しなくても前記丸太５は前記保持部４で安定する。そして、丸太５の長さを５ｃｍ以上且つ３０ｃｍ以下に設定することにより法面（地表面）１０に凹凸があっても丸太５を法面に確実に密着させることができる。そして、丸太５が法面１０に密着することにより、降雨や凍上による法面土壌の流亡の防止ができて法面１０が安定するとともに、微粒土壌が丸太５の法面上手側に溜まり、これにより、図２（Ｃ）に示すように、良好な植生生育基盤１４を形成することができる。
【００２８】
また、丸太５を用いているので、昼間の太陽熱によって丸太５の温度が上昇し、夜間において丸太５と法面（地表面）１０の温度差が生じて結露が起こる。そのため、結露や土壌からの水分吸い上げにより植生生育条件に適した水分量を丸太付近の植物に常に供給することができる。ちなみに、本出願人が所有する圃場でこの実施の形態で用いたような、棒状の木材の一例としての丸太５の温度試験を行った。使用した丸太５は皮付きで、直径Ｂが８ｃｍであり、この実施の形態のように植生シート１１を介して法面１０上に敷設されたネット１に設けた保持部４に前記丸太５を収容した。天候は曇り時々晴れ、気温は２７℃であった。その結果、丸太５の上部は３５℃、丸太５の下部（法面側）は２６℃であり、丸太５の上下において９℃という大きな温度差が生じていることが判明した。また、この実施の形態で用いたような、ネット１に植生シート１１を重合してなる肥料袋６付の植生マット１２における肥料袋６の上部と下部の温度を同時に測定した（比較例）。その結果、肥料袋６の上部は３０℃、肥料袋６の下部は２９℃であり、肥料袋６の上下においては丸太５の場合に得られたような大きな温度差は測定できなかった。これにより、丸太５に保水性があること、すなわち、植生生育条件に適した水分量を丸太５付近の植物に常に供給することができることが裏付けられた。なお、法面（地表面）１０において植生マット１２を敷設しない部分の温度は３１℃であった。
【００２９】
そして、間伐材である丸太５を大量に消費できる。例えば、この実施の形態のように長さが５ｃｍ以上且つ３０ｃｍ以下の短尺の丸太５を上下方向に５０ｃｍ間隔Ｄで連続的に配置した場合、１００ｍ2 当たりの間伐材総延長は２００ｍとなり、丸太５の直径が７ｃｍならば、１００ｍ2 当たり０．７７ｍ3 の間伐材使用量となる。
【００３０】
また、この実施の形態で用いた法面緑化方法は、いずれの地域でも利用できる方法であり、品質を一定にできる利点がある。
【００３１】
なお、この実施の形態では、皮付き、皮取りのいずれかの丸太５を用いたものを示したが、図４（Ｂ）に示すように、薄綿付きのネット２０で丸太５の周面を覆ったものを用いてもよい。この場合、ネット２０に、土壌改良材２１や肥料２２あるいは保水材等を付着（接着）しておくのが植生生育を良好にする点で好ましい。また、薄綿付きのネット２０で丸太５の周面を覆うことにより、丸太５が吸い上げた水分が蒸発するのを防止する処理をおこなうことでさらに保水性を向上できる。すなわち、薄綿付きのネット２０で丸太５の周面を覆ったので、丸太５が吸い上げた水分の殆どを周辺の植物に供給することが可能となる。そして、薄綿付きのネット２０で丸太５を覆ったので、綿の持つ保水性を利用して更に丸太の効果を高めることができるとともに、より太陽熱を吸収でき温度上昇が多くなるため、成長不適な寒い期間（晩秋から初春まで）や乾燥時期（７月）であっても植生生育を促進させることができる。また、この実施の形態では、ネット１に植生シート１１を重合してなる植生マット１２を法面１０上に敷設したものを示したが、ネット１を法面１０上に敷設してもこの発明は適用できる。
【００３２】
また、この発明では、図４（Ｃ）に示すように、前記丸太５とほぼ同じ長さＣ’を有し、前記丸太５よりも小径の複数本の丸太５’をプラスチック製のバンド２３等の結束具で束ねてなるものを用いてもよい。また、この発明では、棒状の木材の更に他の例として、例えば枝および／または梢を束ねたもの、あるいは、前記小径の丸太５’と前記枝および／または梢を束ねたものを使用できる。
【００３３】
図７は、丸太をポケット付ネットに保持させた後、ポケット付ネット上から植生基材を吹付けるように構成したこの発明の第２の実施の形態を示す。図７において、図１〜図６に示した符号と同一のものは同一または相当物である。
【００３４】
この実施の形態では、前記ポケット付ネット１の代わりに、前記肥料袋６を収容するための収容部７を備えていない点で前記ネット１と異なるポケット付ネット１’を用いている。なお、この実施の形態において、ネット１’を用いずに前記ネット１を用いてもよいことはいうまでもない。
【００３５】
而して、図７（Ａ）に示すように、前記ネット１’を法面１０上に敷設し、図７（Ｂ）に示すように、前記ネット１’に設けた前記保持部４の前記開口８，９から丸太５を挿入した後、前記ネット１’の上方から図３で用いた止め具１３を法面１０内に打ち込み、前記ネット１’を止め具１３で固定する。これにより、前記丸太５は従来のようにアンカーを用いて固定しなくても前記丸太５は前記保持部４で安定する。そして、丸太５の長さを５ｃｍ以上且つ３０ｃｍ以下に設定することにより法面（地表面）１０に凹凸があっても丸太５を法面に確実に密着させることができる。続いて、図７（Ｃ）に示すように、丸太５が前記保持部４で安定した状態で、前記ネット１’上から前記ネット１’全面に植生基材１２ａを吹付ける。そして、丸太５が法面１０に密着することにより、降雨や凍上による法面土壌の流亡の防止ができて法面１０が安定するとともに、微粒土壌も丸太５の法面上手側に溜まり、これにより、図７（Ｄ）に示すように、良好な植生生育基盤１４を形成することができる。
【００３６】
図８は、丸太の法面上手側において丸太に隣接する状態で植生袋を設けてあるこの発明の第３の実施の形態を示す。図８において、図１〜図７に示した符号と同一のものは同一または相当物である。
【００３７】
この実施の形態では、前記肥料袋６を収容するための収容部７を備えていない前記ポケット付ネット１’を用いている。なお、この実施の形態において、ネット１’を用いずに前記ネット１を用いてもよいことはいうまでもない。
【００３８】
２５は植生袋で、種子、肥料、土壌改良材、植物生育促進剤等の植生基材１２ａが収容されている。前記種子としてはどんぐりなどの大きな種子も収容されている。そして、保持部４に４個の丸太５と共に植生袋２５が収容されている。植生袋２５の収容位置は丸太５の法面上手側であり、丸太５と隣接する状態で設けられている。この場合、丸太５と同様、植生袋２５を保持部４に挿入するだけの容易な動作で植生袋２５も安定する。そして、上記構成は、どんぐりなどの大きな種子を用いるのに適している。
【００３９】
なお、ネット１’に、保持部４の外側で、かつ、保持部４の法面上手側に丸太５と隣接する状態で植生袋２５の挿入部を設けてもよい。この場合、前記挿入部を止め具を用いて固定してもよい。また、この実施の形態において、図８に示すように、ネット１’に植生シート１１が重合されていてもよいが、重合されていなくてもよい。さらに、この実施の形態において、上記第２の実施の形態に示すように、植生基材をネット１’の上から吹付けてもよい。
【００４０】
図９は、丸太５を挿入するための複数の開口８，９を有する前記ネット１’と、そのネット１’を法面上に固定するワッシャ１４付き止め具１３と、前記開口８，９から挿入され前記ネット１’に保持された状態で法面上に設置された丸太５とを備えたこの発明の第４の実施の形態を示す。図９において、図１〜図８に示した符号と同一のものは同一または相当物である。
【００４１】
この実施の形態でも、上記第１〜３の実施の形態と同様に、前記開口８，９から挿入された丸太５を前記ネット１’により保持することにより、わざわざアンカーなどを用いて丸太を固定しなくても丸太５が安定する。なお、この実施の形態において、ネット１’に植生シート１１が重合されていなくてもよいが、重合されていてもよい。さらに、上記第２の実施の形態に示すように、植生基材をネット１’の上から吹付けてもよい。
【００４２】
なお、この発明では、丸太５が吸い上げた水分が蒸発するのを防止するために、丸太５の上部表面をパラフィンに浸漬する処理を施してもよい。この場合も薄綿付きのネット２０で丸太５の周面を覆った場合と同様、丸太５が吸い上げた水分の殆どを周辺の植物に供給することが可能となる。そして、薄綿付きのネット２０の場合と同様、より太陽熱を吸収でき温度上昇が多くなるため、成長不適な寒い期間（晩秋から初春まで）や乾燥時期（７月）であっても植生生育を促進させることができる。
【００４３】
また、丸太５に施肥効果を持たせるための処理を施してもよい。例えば、丸太５に液肥を染み込ませて施肥効果を持たせてもよい。このように、この発明では、例えば図４（Ｂ）に示したように丸太５の周面を覆う薄綿付きのネット２０に土壌改良材２１や肥料２２あるいは保水材等を付着（接着）したように、保水効果や施肥効果などの植物の生育を良好にさせる効果を組み合わせてこれらの効果を丸太５に付与するように構成しているので、植生生育を良好にする点で好適である。
【００４４】
また、この発明では、丸太を平面視で千鳥状に配置しても同様の効果を奏する。
【００４５】
図１０はこの発明の第５の実施の形態を示す。図１０に示すように、一重の網状体で構成したネット３０を用いてもよい。前記ネット３０は、ポリエチレンや生分解性プラスチック、金網など現場条件により適宜選択できる素材からなり、縦方向（ａ方向）に適当間隔を置いて所定幅の複数の保持部４’を有するように法面に設置される。具体的には、ネット３０は、前記保持部４’が適宜に弛んだ状態となるように法面に設置されるのであり、このようにネット３０を法面に設置することにより、保持部４’が法面とで丸太５を保持することができる状態となる。すなわち、ネット３０は前記第１の実施の形態における上網状体２と構成が同一である一方、この上網状体２に対する前記下網状体３の役割をこの実施の形態では法面が担うのであり、従って、前記保持部４’には前記開口８が設けられている共に、保持部４’の両端部と法面との間に前記開口９が形成されるようにネット３０が法面上に敷設される。
【００４６】
そして、図１０に示すように、前記ネット３０を法面１０上に敷設し、前記ネット３０に設けた前記保持部４’の前記開口８，９から丸太５を挿入し、また、収容部７に肥料袋６を挿入した後、図３に示すように、前記ネット３０の上方から止め具１３を法面１０内に打ち込み、前記ネット３０を止め具１３で固定する。これにより、前記丸太５は従来のようにアンカーを用いて固定しなくても前記丸太５は前記保持部４で安定する。そして、丸太５が法面１０に密着することにより、降雨や凍上による法面土壌の流亡防止ができて法面１０が安定するとともに、微粒土壌が丸太５の法面上手側に溜まり、これにより、良好な植生生育基盤１４を形成することができる。
【００４７】
なお、上記各実施の形態では丸太等の棒状の木材を用いたものを示したが、この発明は棒状の竹材も使用可能である。また、丸太（木材）や竹を２〜４つ割り等複数に分割したり輪切りにするなどの切断を行って、法面との接地面積を増加させる為に木材や竹材に平面部を形成することも可能である。
【００４８】
すなわち、図１２は、大径の丸太５’（図１１参照）を複数に等分割して用いるようにしたこの発明の第６の実施の形態を示す。図１２（Ａ）において、５ａ’は、丸太５’を縦方向に切断して半割りにした棒状の木材を示す。また、図１２（Ｂ）において、５ｂ’は、丸太５’を縦方向に切断して１／４分割した棒状の木材を示す。
【００４９】
この実施の形態では、前記棒状の木材５ａ’，５ｂ’の切断面３２を法面に密着させるように設置すると、前記棒状の木材５ａ’，５ｂ’の方が丸太５に比べて法面と接する面積が増加するため、前記棒状の木材５ａ’，５ｂ’の安定性が増すと共に保水性・保温性（夏は温度低下・冬は温度上昇）が向上する。ちなみに、丸太５で行ったのと同様の温度試験を直径Ｂが１２ｃｍの棒状の皮付きの丸太５を半割りにしてなる棒状の木材５ａ’について行った。天候は曇り時々晴れ、気温は２７℃であった。その結果、木材５ａ’の上部は３５℃、木材５ａ’の下部（法面側）は２６℃であり、前記丸太５で行ったのと同様の測定結果が得られた。
【００５０】
そのため、木材５ａ’，５ｂ’の周辺には水分を求めて植物がピンポイント的に繁茂し、更には木材５ａ’，５ｂ’と法面との間に植物の毛細根が繁茂することで木材５ａ’，５ｂ’と法面の密着性が高まる（隙間が毛細根で埋め尽くされる）という、上記各実施の形態で用いた棒状の木材の一例としての丸太５には見られない特有の効果を奏する。
【００５１】
そして、この実施の形態では、様々な丸太の径に対応することが可能であり、図４（Ａ）に示した丸太５のまま使用する場合は直径１０ｃｍ程度（３〜１５ｃｍ）が限界であったが、例えば半割りや１／４分割のように切断することにより、適応範囲が広がり、市場に出回る間伐材は大部分が直径１０〜３０ｃｍであることから好適である。また、丸太５’（図１１参照）から板状に形成される木材を用いても同様の効果を奏する。
【００５２】
図１３、図１４は、例えば前記丸太５’（図１１参照）を輪切りにしたものを用いるこの発明の第７の実施の形態を示す。図１３、図１４において、図１〜図１２に示した符号と同一のものは同一または相当物である。
【００５３】
図１３（Ａ）において、３３は、例えば前記丸太５’を適宜の厚み（例えば３〜１５ｃｍ）に輪切りにした木材を示す。この場合、図１４に示すように、ネット１に設けた保持部４の開口８，９から複数個の木材３３を挿入するだけでよい。この場合も、上記第６の実施の形態と同様の効果を奏する。ちなみに、丸太５で行ったのと同様の温度試験を直径Ｂが１５．５ｃｍの棒状の皮付きの丸太５を輪切りにした木材３３について行った。木材３３の厚みＥを５ｃｍとした。天候は曇り時々晴れ、気温は２７℃であった。その結果、木材３３の上部は３４℃、木材３３の下部（法面側）は２５℃であり、前記丸太５や木材５ａ’で行ったのと同様の測定結果が得られた。
【００５４】
また、図１３（Ｂ）において、３４は、前記木材３３を等分に切断した木材を示す。そして、ネット１に設けた保持部４の開口８，９から複数個の木材３４を挿入するだけでよい。この場合も、上記第６の実施の形態と同様の効果を奏する。
【００５５】
なお、この発明は、上記各実施の形態に限らず種々に変形したものも適用できる。
【００５６】
例えば、この発明において、木材または竹材は袋体に詰め込まれた多数の木材チップまたは竹材チップであってもよい。
【００５７】
また、この発明では、木材チップまたは竹材チップを圧縮して任意の形状に固化したものも使用可能である。
【００５８】
また、この発明では、木材または竹材に保水シートや肥料シートを貼り付けることで、その機能を向上させることも可能である。
【００５９】
さらに、この発明では、木材または竹材を酸性溶液や塩化カリ溶液に浸す処理を施すことにより、木材または竹材から出るフェノールやタンニン等の有害物を無害化させることができる。
【００６０】
また、この発明の法面緑化方法を、予め法面上に敷設された前記ネット１、１’、３０または植生シート１１または植生マット１２を用いて行ってもよい。さらに、植生シート１１は前記ネット１、１’、３０に予め重合されることにより植生マット１２を形成していてもよいが、現場で前記ネット１、１’、３０に植生シート１１を重合させてもよい。
【図面の簡単な説明】
【００６１】
【図１】この発明の第１の実施の形態を示す斜視図である。
【図２】（Ａ）は、上記実施の形態におけるネット敷設後の状態を示す構成説明図である。（Ｂ）は、上記実施の形態における丸太挿入後の状態を示す構成説明図である。（Ｃ）は、上記実施の形態における植生生育基盤形成後の状態を示す構成説明図である。
【図３】上記実施の形態の要部を示す構成説明図である。
【図４】（Ａ）は、上記実施の形態で用いた丸太を示す斜視図である。（Ｂ）は、この発明で用いる丸太の変形例を示す斜視図である。（Ｃ）は、この発明で用いる丸太の更なる変形例を示す斜視図である。
【図５】上記実施の形態を示す斜視図である。
【図６】上記実施の形態で用いたネットを示す平面図である。
【図７】（Ａ）は、この発明の第２の実施の形態におけるネット敷設後の状態を示す構成説明図である。（Ｂ）は、上記第２の実施の形態における丸太挿入後の状態を示す構成説明図である。（Ｃ）は、上記第２の実施の形態における植生基材吹付けの状態を示す構成説明図である。（Ｄ）は、上記第２の実施の形態における植生生育基盤形成後の状態を示す構成説明図である。
【図８】この発明の第３の実施の形態を示す斜視図である。
【図９】この発明の第４の実施の形態を示す斜視図である。
【図１０】この発明の第５の実施の形態を示す構成説明図である。
【図１１】大径の丸太を示す図である。
【図１２】（Ａ）は、この発明の第６の実施の形態を示す図である。（Ｂ）は、上記第６の実施の形態の変形例を示す図である。
【図１３】（Ａ）は、この発明の第７の実施の形態を示す図である。（Ｂ）は、上記第７の実施の形態の変形例を示す図である。
【図１４】上記第７の実施の形態における木材の設置状態を示す平面図である。
【符号の説明】
【００６２】
１      ネット
４      保持部
５      丸太（棒状の木材）
８，９  開口
１０    法面
【図１】
2007077667.tif 000003
【図２】
2007077667.tif 000004
【図３】
2007077667.tif 000005
【図４】
2007077667.tif 000006
【図５】
2007077667.tif 000007
【図６】
2007077667.tif 000008
【図７】
2007077667.tif 000009
【図８】
2007077667.tif 000010
【図９】
2007077667.tif 000011
【図１０】
2007077667.tif 000012
【図１１】
2007077667.tif 000013
【図１２】
2007077667.tif 000014
【図１３】
2007077667.tif 000015
【図１４】
2007077667.tif 000016